(57)【要約】【課題】網体の枠体への取り付けと、網体の枠体からの取り外しを容易に行う。【解決手段】一対の第２枠３Ｃ、３Ｄは、表面が室内外方向に沿う対面部５１と、対面部５１よりも枠体３の内側に向かって突出する突面部５３と、対面部５１と突面部５３の間に位置する溝部５２を有する。挟持部材３０は、溝部５２に装着される装着部３１と、突面部５３に配置された網体５の第２縁部５Ｃ、５Ｄを押える押え部３２を有する。第２枠３Ｃ、３Ｄの長手方向に直交する断面において、網体５の両端の間の寸法をＡ、突面部５３の先端の間の距離をＢ、対面部５１の間の距離をＣとしたとき、Ｂ＜Ａ≦Ｃである。【選択図】  図１
2017193848.tif 000002
【特許請求の範囲】
【請求項１】
それぞれ対向する一対の第１枠と一対の第２枠を有する枠体と、
それぞれ対向する一対の第１縁部と一対の第２縁部を有し、前記枠体の内側に配置される網体と、
前記第１縁部を前記第１枠に連結する連結部材と、
前記第２枠と共に前記第２縁部を挟持する挟持部材と、を備え、
前記連結部材と前記挟持部材により前記網体が前記枠体に脱着可能に取り付けられる網体の取付構造であって、
前記一対の第２枠は、表面が室内外方向に沿う対面部と、前記対面部よりも前記枠体の内側に向かって突出する突面部と、前記対面部と前記突面部の間に位置して前記対面部に対して前記枠体の外側に向かってくぼむ溝部と、を有し、
前記挟持部材は、前記溝部に装着される装着部と、前記突面部に配置された前記第２縁部を押える押え部と、を有し、
前記一対の第２枠の長手方向に直交する断面において、前記網体の両端の間の寸法をＡ、前記突面部の先端の間の距離をＢ、前記対面部の間の距離をＣとしたとき、Ｂ＜Ａ≦Ｃである網体の取付構造。
【請求項２】
請求項１に記載された網体の取付構造において、
前記押え部は、前記突面部に向かって突出して、前記第２縁部を前記突面部に押し付ける突起を有する網体の取付構造。
【請求項３】
請求項１又は２に記載された網体の取付構造において、
前記第２枠は、前記突面部に設けられて、前記溝部の外部で前記押え部に係合する係合部を有する網体の取付構造。
【請求項４】
請求項１ないし３のいずれかに記載された網体の取付構造において、
前記挟持部材は、前記押え部から室内側に向かって突出する把持部を有する網体の取付構造。
【請求項５】
請求項１ないし４のいずれかに記載された網体の取付構造において、
前記連結部材は、前記突面部に沿ってスライドして前記突面部により前記第１枠にガイドされる網体の取付構造。
【請求項６】
請求項１ないし５のいずれかに記載された網体の取付構造において、
前記第２枠は、前記突面部に凹部を有し、
前記押え部は、前記第２縁部を前記凹部に押し込んだ状態で押える網体の取付構造。
【請求項７】
請求項１ないし６のいずれかに記載された網体の取付構造を備えた建具。
【発明の詳細な説明】
【技術分野】
【０００１】
本発明は、網体が枠体に脱着可能に取り付けられる網体の取付構造と、網体の取付構造を備えた建具に関する。
【背景技術】
【０００２】
建物に設置される建具では、枠体が建物の開口部に固定されて、障子が枠体に開閉可能に取り付けられる。また、防虫等のために、枠体の内側に網体が配置されることがある。この場合には、建具の掃除や障子の操作等を行う際に、網体を枠体から取り外す必要がある。これに対し、従来、網材挟持部材と枠体により網材（網体）を挟持して、網材を枠体に脱着可能に取り付ける開口部装置（建具）が知られている（特許文献１参照）。
【０００３】
特許文献１に記載された従来の開口部装置では、網材の端部を枠体の溝内に配置して、溝に係合する網材挟持部材により網材の端部を枠体に取り付ける。ところが、この開口部装置では、網材の幅が枠体の内周面の間の距離よりも広いため、網材の端部を溝まで移動させるときに、網材の端部が枠体の内周面に接触する。また、網材の端部の全体を溝内に押し込む必要もある。そのため、網材の端部を溝まで移動させ難く、網材の端部の溝内への配置に手間がかかる。
【０００４】
網材の端部を溝内に配置したときに、網材の端部が溝の底面に接触することで、網材に弛みが生じる虞もある。この場合には、網材の弛みを除きつつ、網材を枠体に取り付ける必要があり、網材の取付作業の手間が増加する。また、網材挟持部材は溝を塞ぐように溝内に収容されるため、網材挟持部材を溝から外し難く、網材の取り外しを容易に行うことができない。網材の取り外し時には、網材の端部の全体を溝から引き出す必要もあり、網材の取り外し作業に手間がかかる。
【先行技術文献】
【特許文献】
【０００５】
【特許文献１】特許第５７０２０４０号公報
【発明の概要】
【発明が解決しようとする課題】
【０００６】
本発明は、前記従来の問題に鑑みなされたもので、その目的は、枠体の内側に配置される網体の枠体への取り付けと、網体の枠体からの取り外しを容易に行うことである。
【課題を解決するための手段】
【０００７】
本発明は、それぞれ対向する一対の第１枠と一対の第２枠を有する枠体と、それぞれ対向する一対の第１縁部と一対の第２縁部を有し、前記枠体の内側に配置される網体と、前記第１縁部を前記第１枠に連結する連結部材と、前記第２枠と共に前記第２縁部を挟持する挟持部材と、を備え、前記連結部材と前記挟持部材により前記網体が前記枠体に脱着可能に取り付けられる網体の取付構造である。前記一対の第２枠は、表面が室内外方向に沿う対面部と、前記対面部よりも前記枠体の内側に向かって突出する突面部と、前記対面部と前記突面部の間に位置して前記対面部に対して前記枠体の外側に向かってくぼむ溝部と、を有する。前記挟持部材は、前記溝部に装着される装着部と、前記突面部に配置された前記第２縁部を押える押え部と、を有する。前記一対の第２枠の長手方向に直交する断面において、前記網体の両端の間の寸法をＡ、前記突面部の先端の間の距離をＢ、前記対面部の間の距離をＣとしたとき、Ｂ＜Ａ≦Ｃである。
また、本発明は、本発明の網体の取付構造を備えた建具である。
【発明の効果】
【０００８】
本発明によれば、枠体の内側に配置される網体の枠体への取り付けと、網体の枠体からの取り外しを容易に行うことができる。
【図面の簡単な説明】
【０００９】
【図１】本実施形態の建具の断面図である。
【図２】本実施形態の建具の断面図である。
【図３】網体、連結部材、及び、挟持部材の斜視図である。
【図４】挟持部材により第２枠に取り付けられた網体の第２縁部を示す断面図である。
【図５】網体の枠体への取り付け手順を示す斜視図である。
【図６】網体の枠体への取り付け手順を示す斜視図である。
【発明を実施するための形態】
【００１０】
本発明の網体の取付構造と建具の一実施形態について、図面を参照して説明する。
本実施形態の網体は、枠体に固定された状態で建具に設置される固定網戸であり、本実施形態の網体の取付構造により、建具の枠体に脱着可能に取り付けられる。また、本実施形態の建具は、網体の取付構造を備えた窓である。以下では、建具が縦すべり出し窓である場合を例にとり、網体の取付構造と建具について説明する。
【００１１】
図１、図２は、本実施形態の建具１の断面図であり、建具１の概略構成を示している。また、図１は、建具１を水平方向に切断した横断面図であり、図２は、建具１を垂直方向に切断した縦断面図である。
図示のように、建具１は、建物の開口部に設置される枠体３と、枠体３に開閉可能に取り付けられた障子４と、枠体３の内側に配置された網体５と、２つの連結部材１０、２０（第１連結部材１０、第２連結部材２０）と、２つの挟持部材３０を備えている。網体５が枠体３に取り付けられた状態で、建具１の操作機構（図示せず）を操作して、障子４を開閉する。
【００１２】
枠体３は、方形状の開口枠であり、枠組みされた４つの枠３Ａ〜３Ｄ（一対の第１枠３Ａ、３Ｂ、及び、一対の第２枠３Ｃ、３Ｄ）を有する。ここでは、一対の第１枠３Ａ、３Ｂは、互いに対向する上枠と下枠であり、一対の第２枠３Ｃ、３Ｄは、互いに対向する一対の縦枠である。一対の第１枠３Ａ、３Ｂと一対の第２枠３Ｃ、３Ｄは、それぞれ平行に配置されて枠体３の開口部において互いに向かい合う。また、４つの枠３Ａ〜３Ｄは、それぞれアルミニウム合金製の金属枠部３Ｅと、金属枠部３Ｅに取り付けられた合成樹脂製の樹脂枠部３Ｆを有する。樹脂枠部３Ｆは、障子４の室内側で金属枠部３Ｅを覆い、枠体３の開口部に配置される。
【００１３】
障子４は、方形状の面材であり、枠組みされた上框４Ａ、下框４Ｂ、及び、一対の縦框４Ｃ、４Ｄを有する。また、障子４は、上框４Ａ、下框４Ｂ、及び、一対の縦框４Ｃ、４Ｄの内側に嵌め込まれたパネル材４Ｅ（例えば、ガラス板）を有する。障子４を閉めた状態で、枠体３に設けられた密閉片３Ｇが、障子４（ここでは、上框４Ａ、下框４Ｂ、及び、一対の縦框４Ｃ、４Ｄ）に当接して、枠体３と障子４の間の部分を密閉する。密閉片３Ｇは、枠３Ａ〜３Ｄの樹脂枠部３Ｆに一体に成形されて、障子４に向かって突出する。また、密閉片３Ｇは、樹脂枠部３Ｆの他の部分の合成樹脂よりも軟質な合成樹脂からなり、障子４への当接に伴い弾性変形する。
【００１４】
障子４と網体５は、枠体３の開口部に配置されて、枠体３の内側で並置される。また、網体５は、障子４に対して、枠体３の見込み方向Ｋの一方側（室内側又は室外側）に配置される。ここでは、網体５は、障子４に対して室内側に配置されて、連結部材１０、２０と挟持部材３０により、枠体３に脱着可能に取り付けられる。連結部材１０、２０と挟持部材３０は、合成樹脂製の細長部材であり、枠体３の内周に沿って配置される。
【００１５】
図３は、網体５、連結部材１０、２０、及び、挟持部材３０の斜視図である。
図示のように、網体５は、網材により形成された方形状のシート材であり、枠体３の４つの枠３Ａ〜３Ｄに対応して、４つの帯状の縁部５Ａ〜５Ｄ（一対の第１縁部５Ａ、５Ｂ、及び、一対の第２縁部５Ｃ、５Ｄ）を有する。ここでは、一対の第１縁部５Ａ、５Ｂは、互いに対向する網体５の上縁部と下縁部であり、一対の第２縁部５Ｃ、５Ｄは、互いに対向する網体５の一対の側縁部である。一対の第１縁部５Ａ、５Ｂと一対の第２縁部５Ｃ、５Ｄは、網体５の上下方向と左右方向の端部（端縁部）であり、それぞれ平行に配置されて網体５内において互いに向かい合う。
【００１６】
網体５の一対の第１縁部５Ａ、５Ｂは、それぞれ連結部材１０、２０の端部から挿入されて、連結部材１０、２０内に収容される。その状態で、第１連結部材１０は、一方の第１縁部５Ａ（上縁部）に係合して、第１縁部５Ａを保持する。また、第２連結部材２０は、他方の第１縁部５Ｂ（下縁部）に係合して、第１縁部５Ｂを保持する。連結部材１０、２０の長手方向の寸法は、第１縁部５Ａ、５Ｂの左右幅の寸法（連結部材１０、２０の長手方向に沿った寸法）よりも短く、第１縁部５Ａ、５Ｂの両端部は、連結部材１０、２０の長手方向の外側に位置する。端部キャップ１１、２１が、連結部材１０、２０の両端部に装着されて、第１縁部５Ａ、５Ｂの両端部を保持する。端部キャップ１１、２１は、係合突起１１Ａ、２１Ａにより連結部材１０、２０の端部に係合し、第１縁部５Ａ、５Ｂの端部から第１縁部５Ａ、５Ｂの長手方向の外側に突出する。
【００１７】
２つの連結部材１０、２０は、それぞれ網体５の第１縁部５Ａ、５Ｂに沿って配置され、２つの挟持部材３０は、それぞれ網体５の第２縁部５Ｃ、５Ｄに沿って配置される。４つの端部キャップ１１、２１は、網体５の四隅に配置されて、それぞれ第１縁部５Ａ、５Ｂの端部及び第２縁部５Ｃ、５Ｄの端部に位置する。挟持部材３０により第２縁部５Ｃ、５Ｄを第２枠３Ｃ、３Ｄと共に挟持するときに、挟持部材３０が、第２縁部５Ｃ、５Ｄの両端部に位置する端部キャップ１１、２１の間に配置されて、挟持部材３０の上下両端部が、端部キャップ１１、２１に当接する。その状態で、連結部材１０、２０と挟持部材３０は、方形状に配置されて、第１縁部５Ａ、５Ｂと第２縁部５Ｃ、５Ｄを枠体３に取り付ける。
【００１８】
網体５（図２Ｂ参照）は、第１縁部５Ａ、５Ｂに、連結部材１０、２０に係合する係合帯５Ｅを有する。連結部材１０、２０は、第１縁部５Ａ、５Ｂの左右幅方向（連結部材１０、２０の長手方向に沿う方向）に延びる係合帯５Ｅを咥えて保持する。係合帯５Ｅは、網体５に取り付けられたファスナ半体（線ファスナの片側部分）であり、第１縁部５Ａ、５Ｂの他の部分よりも厚い厚肉部５Ｆを有する。
【００１９】
連結部材１０、２０（図２Ａ参照）は、それぞれの長手方向に延びるスリット１２、２２と、スリット１２、２２の底部に開口する溝部１３、２３を有する。第１縁部５Ａ、５Ｂの係合帯５Ｅは、スリット１２、２２と溝部１３、２３に収容される。その状態で、係合帯５Ｅの厚肉部５Ｆは、溝部１３、２３に配置されて、溝部１３、２３の両縁部に引っ掛かる。これにより、第１連結部材１０は、一方の第１縁部５Ａの係合帯５Ｅに係合し、第２連結部材２０は、他方の第１縁部５Ｂの係合帯５Ｅに係合する。
【００２０】
第１縁部５Ａ、５Ｂは、第１枠３Ａ、３Ｂと連結する網体５の連結縁部であり、第１枠３Ａ、３Ｂは、第１縁部５Ａ、５Ｂと連結する枠体３の連結枠である。２つの連結部材１０、２０は、それぞれ第１縁部５Ａ、５Ｂを第１枠３Ａ、３Ｂに脱着可能に連結して、第１縁部５Ａ、５Ｂを第１枠３Ａ、３Ｂに取り付ける。その状態で、連結部材１０、２０と第１縁部５Ａ、５Ｂは、第１枠３Ａ、３Ｂに沿って配置される。
【００２１】
枠体３の第１枠３Ａ、３Ｂは、連結部材１０、２０が脱着可能に取り付けられる取付部４０、４１を有し、取付部４０、４１に連結部材１０、２０を保持する。一方の第１枠３Ａ（上枠）の取付部４０は、枠体３の内側（網体５側）に向かって開口する取付溝であり、第１枠３Ａの長手方向に沿って連続して設けられている。他方の第１枠３Ｂ（下枠）の取付部４１は、枠体３の内側（上側）に向かって突出する板状の取付突部であり、第１枠３Ｂの長手方向に沿って連続して設けられている。
【００２２】
第１連結部材１０は、第１枠３Ａに向かって突出する２つの係合突起１４と、網体５に対して障子４が配置されていない側（網体５より室内側）に位置する板状の把持部１５を有する。係合突起１４と把持部１５は、第１連結部材１０の長手方向に沿って連続して設けられている。２つの係合突起１４は、弾性変形可能であり、第１枠３Ａの取付部４０に挿入されて、取付部４０内の被係合部（ここでは、２つの張り出し部）に引っ掛かるようにして係合する。これにより、第１連結部材１０が第１枠３Ａの取付部４０に取り付けられる。また、２つの係合突起１４を取付部４０から引き出すことで、第１連結部材１０が第１枠３Ａの取付部４０から取り外される。把持部１５は、枠体３の内側に配置されて、網体５に対して障子４が配置されていない側（網体５より室内側）に向かって突出する。第１連結部材１０の脱着時に、把持部１５を用いて、第１連結部材１０を移動させる。
【００２３】
第２連結部材２０は、第１枠３Ｂに向かって開口する係合溝２４と、網体５に対して障子４が配置されていない側（網体５より室内側）に位置する板状の把持部２５と、網体５に対して障子４側に位置する板状の覆い部２６を有する。係合溝２４、把持部２５、及び、覆い部２６は、第２連結部材２０の長手方向に沿って連続して設けられている。係合溝２４は、係合溝２４内に並列する弾性変形可能な複数の当接片２７を有する。第１枠３Ｂの取付部４１が係合溝２４に挿入されて、複数の当接片２７が取付部４１に当接する。これにより、取付部４１が係合溝２４に係合して、第２連結部材２０が第１枠３Ｂの取付部４１に取り付けられる。また、係合溝２４を取付部４１から外すことで、第２連結部材２０が第１枠３Ｂの取付部４１から取り外される。
【００２４】
把持部２５は、枠体３の内側に配置されて、網体５に対して障子４が配置されていない側（網体５より室内側）に向かって突出する。第２連結部材２０の脱着時に、把持部２５を用いて、第２連結部材２０を移動させる。覆い部２６は、枠体３の内側に配置されて、障子４側に向かって突出し、網体５と障子４の間の部分を覆う。
【００２５】
第２縁部５Ｃ、５Ｄ（図１参照）は、挟持部材３０と第２枠３Ｃ、３Ｄにより挟持される網体５の挟持縁部であり、第２枠３Ｃ、３Ｄは、挟持部材３０と共に第２縁部５Ｃ、５Ｄを挟持する枠体３の挟持枠である。２つの挟持部材３０は、それぞれ第２枠３Ｃ、３Ｄと共に第２縁部５Ｃ、５Ｄを挟持して、第２縁部５Ｃ、５Ｄを第２枠３Ｃ、３Ｄに取り付ける。その状態で、挟持部材３０と第２縁部５Ｃ、５Ｄは、第２枠３Ｃ、３Ｄに沿って配置され、第２縁部５Ｃ、５Ｄは、挟持部材３０と第２枠３Ｃ、３Ｄにより保持される。
【００２６】
枠体３への脱着時に、網体５は、一対の第２枠３Ｃ、３Ｄに設けられた対向部５０の間の空間を脱着方向Ｓ（取外方向Ｓ１、取付方向Ｓ２）に移動して、枠体３の外部と内部とに移動する。一対の第２枠３Ｃ、３Ｄは、それぞれの対向部５０に設けられた対面部５１、溝部５２、及び、突面部５３を有する。対面部５１、溝部５２、及び、突面部５３は、第２枠３Ｃ、３Ｄの長手方向に沿って連続して設けられており、網体５の取付方向Ｓ２（第２枠３Ｃ、３Ｄの見込み方向Ｋの一方向）に、対面部５１、溝部５２、及び、突面部５３の順に配置される。対面部５１は、枠体３の内側に位置する内周面であり、表面が第２枠３Ｃ、３Ｄの見込み方向Ｋ（室内外方向）に沿って形成されている。一対の第２枠３Ｃ、３Ｄの対面部５１は、互いに対向して配置されて、網体５の脱着時に、広げられた状態の網体５が互いの間を脱着方向Ｓに移動可能になっている。網体５の移動時に、第２縁部５Ｃ、５Ｄは、対面部５１の間の空間において、対面部５１に沿って移動する。
【００２７】
第２枠３Ｃ、３Ｄの溝部５２は、対面部５１と突面部５３の間に位置し、対面部５１に対して枠体３の外側（図１における室内側からの正面視にて、第２枠３Ｃの右側、第２枠３Ｄの左側）に向かってくぼんでいる。溝部５２は、挟持部材３０が装着される装着溝であり、枠体３の内側に向かって開口する。第２枠３Ｃ、３Ｄの突面部５３は、第２縁部５Ｃ、５Ｄの挟持面であり、対面部５１に対して枠体３の内側に向かって突出する。第２縁部５Ｃ、５Ｄは、網体５の取付方向Ｓ２に移動して、突面部５３の室内側（見込み方向Ｋにおける室内側）に配置される。ここでは、突面部５３は、第２枠３Ｃ、３Ｄに設けられた突出部５４の対面部５１側の面（見付け面）である。突面部５３の表面は、多少の段差を有しながら枠体３の内側方向に沿っている。
【００２８】
第２枠３Ｃ、３Ｄの対向部５０において、対面部５１は、溝部５２に対して網体５の取外方向Ｓ１側に位置し、突面部５３は、溝部５２に対して網体５の取付方向Ｓ２側に位置する。また、対面部５１は、溝部５２の一方の壁部に接続して、一方の壁部から網体５の取外方向Ｓ１に延びる。突面部５３は、溝部５２の他方の壁部に接続して、他方の壁部から枠体３の内側に向かって突出する。溝部５２は、対面部５１と突面部５３よりも枠体３の外側に位置し、突面部５３は、対面部５１と溝部５２よりも枠体３の内側に位置する。
【００２９】
一対の第２枠３Ｃ、３Ｄの長手方向に直交する断面（第２枠３Ｃ、３Ｄの見付け方向の断面）において、建具１の各部の寸法又は距離をＡ〜Ｄとする（図１参照）。Ａは、網体５の両端の間の寸法（網寸法）である。Ｂは、２つの突面部５３の先端（突端）の間の距離（第１距離）である。Ｃは、２つの対面部５１の間の距離（第２距離）である。Ｄは、２つの溝部５２の底面の間の距離（第３距離）である。この場合に、第１距離Ｂは網寸法Ａ未満であり、第２距離Ｃは網寸法Ａ以上である（Ｂ＜Ａ≦Ｃ）。また、第１距離Ｂは第２距離Ｃ未満であり（Ｂ＜Ｃ）、第２距離Ｃは第３距離Ｄ未満である（Ｃ＜Ｄ）。従って、第１距離Ｂ、第２距離Ｃ、第３距離Ｄの順に長くなる（Ｂ＜Ｃ＜Ｄ）。
【００３０】
網寸法Ａ、第１距離Ｂ及び第２距離Ｃの寸法条件（Ｂ＜Ａ≦Ｃ）に伴い、網体５の第２縁部５Ｃ、５Ｄは、第２枠３Ｃ、３Ｄの対面部５１と溝部５２に対して枠体３の内側に配置される。その結果、網体５の脱着方向Ｓへの移動時に、第２縁部５Ｃ、５Ｄが対面部５１に接触するのが抑制される。また、第２縁部５Ｃ、５Ｄが溝部５２内に入らず、溝部５２の内面に第２縁部５Ｃ、５Ｄが接触するのが防止される。挟持部材３０と第２枠３Ｃ、３Ｄにより第２縁部５Ｃ、５Ｄを挟持していない状態（連結部材１０、２０のみにより網体５を第１枠３Ａ、３Ｂに取り付けた状態）で、第２縁部５Ｃ、５Ｄは、溝部５２の外部で、第２枠３Ｃ、３Ｄの突面部５３の室内側に対向して配置される。これに伴い、網体５に弛みが生じるのが抑制され、網体５が広げられた状態に配置される。その状態で、第２縁部５Ｃ、５Ｄは、挟持部材３０と突面部５３の間に配置されて、挟持部材３０と突面部５３により挟持される。
【００３１】
次に、挟持部材３０と枠体３の第２枠３Ｃ、３Ｄについて詳しく説明する。一対の第２枠３Ｃ、３Ｄの対面部５１、溝部５２、突面部５３は、上記したＡ〜Ｄの値の条件を満たすように、左右対称に形成される。また、挟持部材３０は、一対の第２枠３Ｃ、３Ｄに対して左右対称に取り付けられる。そのため、以下では、一方（図１の右側）の第２枠３Ｃと挟持部材３０について説明する。他方（図１の左側）の第２枠３Ｄと挟持部材３０は、一方の第２枠３Ｃと挟持部材３０と同様に構成される。
【００３２】
図４は、挟持部材３０により第２枠３Ｃに取り付けられた網体５の第２縁部５Ｃを示す断面図である。
図示のように、挟持部材３０は、溝部５２に装着される装着部３１と、突面部５３の室内側に配置された第２縁部５Ｃを押える押え部３２と、押え部３２の網体５と対向しない側（取外方向Ｓ１側）に形成された板状の把持部３３と、凹状の空所３４を有する。装着部３１、押え部３２、把持部３３、及び、空所３４は、挟持部材３０の長手方向に沿って連続して設けられている。
【００３３】
挟持部材３０の装着部３１は、蓋部３５、２つの突片３６Ａ、３６Ｂ（第１突片３６Ａ、第２突片３６Ｂ）、及び、段部３７を有し、２つの突片３６Ａ、３６Ｂが第２枠３Ｃの溝部５２内に配置される。蓋部３５は、溝部５２の開口部に配置される板状の蓋材であり、挟持部材３０が溝部５２に装着された状態で溝部５２の開口部側を覆っている。突片３６Ａ、３６Ｂは、蓋部３５から溝部５２の内側へ突出して、溝部５２内に配置される。
【００３４】
第１突片３６Ａは、蓋部３５の対面部５１側の縁部に形成され、第２突片３６Ｂは、蓋部３５の突面部５３側の縁部に形成されている。第１突片３６Ａの突出寸法は、第２突片３６Ｂの突出寸法よりも大きく、第１突片３６Ａの先端部３６Ｃは、溝部５２の底面に接触する。また、第１突片３６Ａは、蓋部３５に向かって次第に厚くなり、第１突片３６Ａの根元部３６Ｄは、蓋部３５の縁部に対して対面部５１側に突出するように形成されている。段部３７は、第１突片３６Ａの根元部３６Ｄと蓋部３５の縁部との段差からなり、蓋部３５と第１突片３６Ａが交わる挟持部材３０の角部に位置する。第２突片３６Ｂの先端部側には、第２突片３６Ｂの突出方向に対して取外方向Ｓ１側に傾斜する傾斜面３６Ｅが形成されている。
【００３５】
第２枠３Ｃの溝部５２は、溝部５２の開口部に位置して互いに対向する係合部５５（第１係合部５５）と凸部５６を有する。第１係合部５５は、凸部５６と同様の凸形状に形成された凸部（係合凸部）である。第１係合部５５と凸部５６は、溝部５２の対向する両壁部に形成され、挟持部材３０の装着部３１に向かって先端部が互いに近づくように突出する。第１係合部５５は、溝部５２の対面部５１側の壁部に形成され、凸部５６は、溝部５２の突面部５３側の壁部に形成されている。
【００３６】
挟持部材３０の装着部３１は、第２枠３Ｃの溝部５２に挿入されて、溝部５２に装着される。その際、第１突片３６Ａが第１係合部５５に接触しつつ溝部５２に挿入され、第２突片３６Ｂの傾斜面３６Ｅが凸部５６に接触する。装着部３１の装着の初期段階から中期段階において、第２突片３６Ｂの傾斜面３６Ｅは、ガイドとして働く。装着部３１は、傾斜面３６Ｅによりガイドされて、回転するように移動しながら溝部５２内に容易に配置される。これに伴い、装着部３１の蓋部３５が第１係合部５５と凸部５６の間に配置され、装着部３１が溝部５２に装着される。
【００３７】
装着部３１の溝部５２への挿入に伴い、第１突片３６Ａが先端部３６Ｃから根元部３６Ｄまで溝部５２内に配置され、傾斜面３６Ｅを含む第２突片３６Ｂの全体が溝部５２内に配置される。また、第１突片３６Ａの先端部３６Ｃが溝部５２の底面に接触して、第１突片３６Ａにより、装着部３１の溝部５２内での挿入方向の位置決めがなされる。第１突片３６Ａの根元部３６Ｄは、溝部５２内で第１係合部５５に近接して配置され、第１係合部５５は、装着部３１の段部３７に配置される。第１係合部５５は、装着部３１の被係合部である段部３７及び第１突片３６Ａの根元部３６Ｄに係合することで、装着部３１に係合する。この状態において、凸部５６は、装着部３１に接触せず、蓋部３５の縁部に近接して配置される。
【００３８】
装着部３１が溝部５２に装着された状態で、挟持部材３０の押え部３２は、装着部３１から枠体３の内側に向かって突出して、第２枠３Ｃの突面部５３に沿って配置される。網体５の第２縁部５Ｃは、突面部５３と押え部３２の間に配置されて、押え部３２により突面部５３に押えられ、突面部５３と押え部３２により挟持される。従って、押え部３２は、突面部５３との間に第２縁部５Ｃを挟持する挟持部材３０の挟持部である。挟持部材３０は、押え部３２により第２縁部５Ｃを突面部５３の室内側（取外方向Ｓ１側）に保持して、第２枠３Ｃに第２縁部５Ｃを取り付ける。
【００３９】
挟持部材３０の押え部３２は、弾性変形可能な複数の突起３８と、突面部５３に向かって突出する突出部３９Ａと、突面部５３に対向する段部３９Ｂを有する。複数の突起３８は、挟持部材３０の他の部分の合成樹脂よりも軟質な合成樹脂からなり、挟持部材３０に一体に成形される。また、複数の突起３８は、押え部３２の突面部５３側の部分に並列して、突面部５３に向かって突出する。突起３８は、ヒレ状の押し付け片であり、溝部５２の外部で、網体５の第２縁部５Ｃを突面部５３に押し付ける。第２縁部５Ｃは、押え部３２の突起３８と突面部５３の間に挟み込まれて、突起３８と突面部５３により挟持される。その状態で、突起３８が弾性変形する。段部３９Ｂは、押え部３２の突出部３９Ａに接続する部分と突出部３９Ａとの段差からなり、押え部３２と把持部３３が交わる挟持部材３０の角部（押え部３２の把持部３３側先端部）に位置する。
【００４０】
第２枠３Ｃは、突面部５３に設けられた係合部５７（第２係合部５７）と凹部５８を有する。第２係合部５７は、第１係合部５５と同様の凸形状に形成された凸部（係合凸部）である。第２係合部５７は、突面部５３の把持部３３側先端部に形成され、突面部５３から挟持部材３０の押え部３２に向かって突出する。装着部３１が溝部５２に挿入されたときに、押え部３２の突出部３９Ａは、凹部５８内に配置されて第２係合部５７に接触する。同時に、第２係合部５７は、押え部３２の段部３９Ｂに配置される。第２係合部５７は、押え部３２の被係合部である突出部３９Ａ及び段部３９Ｂに係合することで、溝部５２の外部で押え部３２に係合し、押え部３２の先端部を支持する。
【００４１】
第１係合部５５と装着部３１の係合、及び、第２係合部５７と押え部３２の係合により、挟持部材３０の装着部３１が溝部５２に脱着可能に装着される。また、挟持部材３０が第２枠３Ｃに取り付けられて、第１係合部５５と第２係合部５７により、挟持部材３０が対角位置で支持される。装着部３１を溝部５２から引き出すことで、装着部３１が溝部５２から取り外される。また、第１係合部５５と装着部３１の係合、及び、第２係合部５７と押え部３２の係合が解除されて、挟持部材３０が第２枠３Ｃから取り外される。これに伴い、網体５の第２縁部５Ｃが解放される。
【００４２】
突面部５３の凹部５８は、凸部５６と第２係合部５７の間に位置する凹状の空間である。押え部３２は、網体５の第２縁部５Ｃを凹部５８に押し込んだ状態で、第２縁部５Ｃを押える。また、押え部３２の突起３８が凹部５８内に配置されて、凹部５８が押え部３２により覆われる。第２縁部５Ｃは、第２係合部５７と押え部３２により挟持されるとともに、凹部５８内で、突起３８と凹部５８の底面により挟持される。
【００４３】
挟持部材３０の把持部３３は、押え部３２の先端部から室内側に向かって突出する。挟持部材３０の空所３４は、把持部３３、押え部３２、及び、装着部３１（蓋部３５）により区画され、室内側（取外方向Ｓ１側）に向かって開放されている。挟持部材３０の脱着時に、把持部３３を用いて、挟持部材３０を移動させる。その際、例えば、指等を空所３４に入れて、把持部３３を摘まんで保持する。
【００４４】
網体５を枠体３に取り付けるときには、まず（図３参照）、連結部材１０、２０を網体５の第１縁部５Ａ、５Ｂに係合し、端部キャップ１１、２１を連結部材１０、２０の両端部に装着する。次に（図２参照）、連結部材１０、２０を第１枠３Ａ、３Ｂの取付部４０、４１に順に取り付けて、連結部材１０、２０により、第１縁部５Ａ、５Ｂを第１枠３Ａ、３Ｂに連結する。ここでは、第１連結部材１０を第１枠３Ａの取付部４０に取り付けた後、第２連結部材２０を第１枠３Ｂの取付部４１に取り付ける。続いて（図３、図４参照）、網体５の第２縁部５Ｃ、５Ｄを挟持部材３０と第２枠３Ｃ、３Ｄにより挟持して、連結部材１０、２０と挟持部材３０により、網体５を枠体３に取り付ける。
【００４５】
図５、図６は、網体５の枠体３への取り付け手順を示す斜視図であり、第１枠３Ｂと第２枠３Ｃが交わる枠体３の角部を含む建具１の一部を示している。
図示のように、端部キャップ２１は、第２連結部材２０の一部であり、網体５の第１縁部５Ｂの端部に係合する（図５参照）。２つの端部キャップ２１を含む第２連結部材２０が枠体３の内側に配置されて、端部キャップ２１が第２枠３Ｃ、３Ｄの溝部５２に挿入される。また、第２連結部材２０（ここでは、端部キャップ２１）は、第２枠３Ｃ、３Ｄの突面部５３に接触する。その状態で、第２連結部材２０は、突面部５３に沿ってスライドして、突面部５３により第１枠３Ｂにガイドされる。第１縁部５Ｂを第１枠３Ｂに連結するときに、第２連結部材２０は、ガイド部である突面部５３により第１枠３Ｂの取付部４１にガイドされて、取付部４１に取り付けられる。
【００４６】
なお、第２連結部材２０と同様に、端部キャップ１１（図３参照）は、第１連結部材１０の一部であり、網体５の第１縁部５Ａの端部に係合する。２つの端部キャップ１１を含む第１連結部材１０が枠体３の内側に配置されて、端部キャップ１１が第２枠３Ｃ、３Ｄの溝部５２に挿入される。また、第１連結部材１０（ここでは、端部キャップ１１）は、第２枠３Ｃ、３Ｄの突面部５３に接触する。その状態で、第１連結部材１０は、突面部５３に沿ってスライドして、突面部５３により第１枠３Ａにガイドされる。第１縁部５Ａを第１枠３Ａに連結するときに、第１連結部材１０は、ガイド部である突面部５３により第１枠３Ａの取付部４０にガイドされて、取付部４０に取り付けられる。
【００４７】
第１縁部５Ａ、５Ｂを第１枠３Ａ、３Ｂに連結するときに（図１参照）、網体５は、第２枠３Ｃ、３Ｄの対面部５１の間を取付方向Ｓ２に移動して、第２枠３Ｃ、３Ｄの対面部５１の間に配置される。また、網体５の第２縁部５Ｃ、５Ｄは、第２枠３Ｃ、３Ｄの突面部５３の室内側に配置される。この一連の動作の際、第２縁部５Ｃ、５Ｄが対面部５１に接触するのが抑制される。第２縁部５Ｃ、５Ｄは、突面部５３と接触する位置まで円滑に移動して、突面部５３の室内側に配置される。網体５は、連結部材１０、２０により、広げられた状態で枠体３の内側に配置される。
【００４８】
次に（図６参照）、連結部材１０、２０の間で、挟持部材３０を第２枠３Ｃ、３Ｄの溝部５２に向かって移動させて、挟持部材３０の装着部３１を溝部５２に挿入する。その際、挟持部材３０が連結部材１０、２０の把持部１５、２５により溝部５２にガイドされて、装着部３１が溝部５２に装着される。
【００４９】
装着部３１の装着時には（図４参照）、装着部３１の第１突片３６Ａが、最初に溝部５２に挿入されて、装着部３１の溝部５２への挿入をガイドする。また、第１突片３６Ａは、溝部５２内の第１係合部５５に接触しつつ溝部５２に挿入される。第１突片３６Ａに続いて、第２突片３６Ｂの傾斜面３６Ｅが溝部５２内の凸部５６に接触し、装着部３１の第２突片３６Ｂが溝部５２に挿入される。傾斜面３６Ｅのガイドにより、装着部３１は、回転するように移動しながら溝部５２内に容易に配置される。同時に、傾斜面３６Ｅにより、第２突片３６Ｂの溝部５２への挿入が補助されて、第２突片３６Ｂが溝部５２に円滑に挿入される。その結果、装着部３１が溝部５２に円滑に挿入される。
【００５０】
網体５に接触する挟持部材３０により、溝部５２側へのテンションを網体５に加えつつ、装着部３１の溝部５２への挿入を行う。続いて、装着部３１の全体が溝部５２内に配置されて、第１突片３６Ａの先端部３６Ｃが溝部５２の底面に接触する。その状態で、第１係合部５５が装着部３１に係合し、第２係合部５７が押え部３２に係合する。これにより、装着部３１が溝部５２に装着され、挟持部材３０が第２枠３Ｃ、３Ｄに取り付けられる。
【００５１】
挟持部材３０の押え部３２と把持部３３は溝部５２の外部に位置しており、溝部５２の外部で挟持部材３０の取り付け作業を行う。挟持部材３０の押え部３２は、第２枠３Ｃ、３Ｄの突面部５３に向かって押し付けられて、網体５の第２縁部５Ｃ、５Ｄを押える。２つの挟持部材３０を第２枠３Ｃ、３Ｄに順に取り付けて、挟持部材３０と突面部５３により、第２縁部５Ｃ、５Ｄを順に挟持する。これにより、網体５が枠体３に取り付けられる。
【００５２】
網体５を枠体３から取り外すときには、挟持部材３０の装着部３１を溝部５２から引き出し、挟持部材３０を第２枠３Ｃ、３Ｄから取り外す。溝部５２の外部に位置している把持部３３に指等をかけて、挟持部材３０の取り外し作業を行う。次に、連結部材１０、２０を第１枠３Ａ、３Ｂから取り外し、網体５を枠体３から取り外す。ここでは、第２連結部材２０を第１枠３Ｂから取り外した後、第１連結部材１０を第１枠３Ａから取り外す。網体５は、第２枠３Ｃ、３Ｄの対面部５１の間を取外方向Ｓ１に移動して、枠体３の外部まで移動する。その際、網体５の取り付け時と同様に、第２縁部５Ｃ、５Ｄが対面部５１に接触するのが抑制され、網体５が枠体３の外部まで円滑に移動する。
【００５３】
以上説明したように、本実施形態の網体５の取付構造によれば、網体５の枠体３への取り付けと、網体５の枠体３からの取り外しを容易に行うことができる。また、押え部３２の突起３８により、網体５の第２縁部５Ｃ、５Ｄを押える力を強くして、第２縁部５Ｃ、５Ｄをより確実に押えることができる。押え部３２により第２縁部５Ｃ、５Ｄを突面部５３の凹部５８に押し込むことで、網体５にテンションを加えて、よりきれいに網体５を張ることができる。
【００５４】
突面部５３により連結部材１０、２０をガイドするため、連結部材１０、２０を第１枠３Ａ、３Ｂに向かって容易かつ正確に移動できるとともに、突面部５３を有効に活用することができる。第２枠３Ｃ、３Ｄの第１係合部５５と第２係合部５７により、挟持部材３０を対角位置で安定して支持することができる。溝部５２に装着される装着部３１に加えて、溝部５２の外部で、挟持部材３０の押え部３２が突面部５３の第２係合部５７に係合するため、挟持部材３０を安定した状態で第２枠３Ｃ、３Ｄに取り付けることができる。
【００５５】
なお、第１枠３Ａ、３Ｂを枠体３の一対の縦枠にし、第２枠３Ｃ、３Ｄを枠体３の上枠と下枠にしてもよい。この場合には、第１縁部５Ａ、５Ｂが、網体５の一対の側縁部になり、連結部材１０、２０により、縦枠である第１枠３Ａ、３Ｂに取り付けられる。その際は、第２縁部５Ｃ、５Ｄが、網体５の上縁部と下縁部になり、挟持部材３０により、上枠と下枠である第２枠３Ｃ、３Ｄに取り付けられる。枠体３は、網体５が取り付けられる取付枠であり、例えば、窓枠であってもよく、窓枠よりも室内側に設けられる枠状の額縁であってもよい。
【００５６】
連結部材１０、２０は、上記した例に限定されず、網体５の第１縁部５Ａ、５Ｂを第１枠３Ａ、３Ｂに連結可能な種々の連結機構に変更可能である。本実施形態の網体５の取付構造は、網体５を備えた種々の建具（例えば、引き違い窓、横すべり出し窓、倒し窓、その他の開き窓）に適用することができる。建具１に網体５を取り付けないときには、第２枠３Ｃ、３Ｄの溝部５２にキャップを装着して、溝部５２を隠してもよい。突面部５３により連結部材１０、２０をガイドしたが、この際、連結部材１０、２０に取り付けた端部キャップ１１、２１にてガイドしてもよいし、これら端部キャップ１１、２１を用いずに、連結部材１０、２０の端部そのものを直接ガイドするようにしてもよい。
【００５７】
第１突片３６Ａの突出寸法は、第２突片３６Ｂの突出寸法よりも大きく、第１突片３６Ａの先端部３６Ｃが溝部５２の底面に接触するようにしたが、これに限らず、第２突片３６Ｂを第１突片３６Ａの突出寸法と同じ突出寸法とし、その第２突片３６Ｂの先端部を溝部５２の底面に接触するようにしてもよい。また、第１突片３６Ａと同様に、第２突片３６Ｂも蓋部３５に向かって次第に厚くなり、第２突片３６Ｂの根元部を第１突片３６Ａの根元部３６Ｄとは反対側に対して突出するように形成してもよい。
【符号の説明】
【００５８】
１・・・建具、３・・・枠体、４・・・障子、５・・・網体、１０・・・第１連結部材、１１・・・端部キャップ、１２・・・スリット、１３・・・溝部、１４・・・係合突起、１５・・・把持部、２０・・・第２連結部材、２１・・・端部キャップ、２２・・・スリット、２３・・・溝部、２４・・・係合溝、２５・・・把持部、２６・・・覆い部、２７・・・当接片、３０・・・挟持部材、３１・・・装着部、３２・・・押え部、３３・・・把持部、３４・・・空所、３５・・・蓋部、３７・・・段部、３８・・・突起、４０・・・取付部、４１・・・取付部、５０・・・対向部、５１・・・対面部、５２・・・溝部、５３・・・突面部、５４・・・突出部、５５・・・第１係合部、５６・・・凸部、５７・・・第２係合部、５８・・・凹部。
【図１】
2017193848.tif 000003
【図２】
2017193848.tif 000004
【図３】
2017193848.tif 000005
【図４】
2017193848.tif 000006
【図５】
2017193848.tif 000007
【図６】
2017193848.tif 000008